(57)【要約】      （修正有）【課題】給水装置に関する専門知識のないユーザーに対しても、消耗部品が交換時期に達したことを分かり易く知らせることができる給水装置を提供する。【解決手段】給水装置１は、ポンプ２と、ポンプ２を駆動する電動機３と、給水装置１の消耗部品の使用期間を計測し、使用期間をしきい値と比較する制御部４０と、使用期間がしきい値以上であるときに、前記使用期間が前記しきい値を超えたこと、および前記消耗部品が交換時期に達したことを知らせるための交換案内を表示する表示器４９を備える。給水装置は、使用期間を０にリセットするリセット操作が入力可能であり、リセット操作の使用者を制限する使用者制限が設けられている。【選択図】図１
2020042851.tif 000002
【特許請求の範囲】
【請求項１】
給水装置に関する専門知識のあるメンテナンス員だけでなく専門知識のないユーザーに対しても該給水装置の消耗部品が交換時期に達したことを知らせることができる機能を備えた給水装置であって、
ポンプと、
前記ポンプを駆動する電動機と、
前記給水装置の消耗部品の使用期間を計測し、前記使用期間をしきい値と比較する制御部と、
前記使用期間が前記しきい値以上であるときに、前記使用期間が前記しきい値を超えたこと、および前記消耗部品が交換時期に達したことを知らせるための交換案内を表示する表示器と、を備え、
前記給水装置は、前記使用期間を０にリセットするリセット操作が入力可能であり、
前記リセット操作の使用者を制限する使用者制限が設けられている、給水装置。
【請求項２】
前記給水装置は、前記交換案内を消去するクリア操作がさらに入力可能であり、
前記使用者制限は、操作可能な使用者が前記クリア操作よりも制限されるものである、請求項１に記載の給水装置。
【請求項３】
前記使用者制限は、前記ユーザーの前記リセット操作を不可とし、前記メンテナンス員のみの前記リセット操作を可能とするものである、請求項２に記載の給水装置。
【請求項４】
前記リセット操作を入力するためのリセットボタンと、
前記クリア操作を入力するためのクリアボタンをさらに備え、
前記リセットボタンは、前記制御部に設けられており、
前記クリアボタンは、前記表示器に設けられている、請求項２または３に記載の給水装置。
【請求項５】
前記使用者制限は、パスワードによる操作制限である、請求項１乃至４のいずれか一項に記載の給水装置。
【請求項６】
前記しきい値は変更可能である、請求項１乃至５のいずれか一項に記載の給水装置。
【請求項７】
前記表示器は、前記制御部と有線通信または無線通信で接続された外部表示器である、請求項１乃至６のいずれか一項に記載の給水装置。
【請求項８】
前記外部表示器は、近距離無線通信（ＮＦＣ）によって前記制御部に接続される、請求項７に記載の給水装置。
【請求項９】
前記外部表示器は、電波を送受信する表示器側アンテナ部を備え、
前記制御部は、前記電波を受信して該電波を電力に変換する制御部側アンテナ部と、前記電力によって駆動される集積回路および記憶部とを備える、請求項８に記載の給水装置。
【請求項１０】
前記制御部は、前記使用期間が前記しきい値以上であるときに、前記使用期間が前記しきい値を超えたこと、および前記消耗部品が交換時期に達したことを示す交換案内をデータとして前記記憶部に記憶し、
前記集積回路は、前記記憶部から前記データを読み取り、前記制御部側アンテナ部は前記データを前記表示器側アンテナ部に送信する、請求項９に記載の給水装置。
【請求項１１】
前記制御部は、前記使用期間として、前記消耗部品の使用が開始されてからの前記給水装置の通電時間を計測する、請求項１乃至１０のいずれか一項に記載の給水装置。
【請求項１２】
前記制御部は、前記使用期間として、前記消耗部品の使用が開始されてからの前記ポンプの積算運転時間を計測する、請求項１乃至１１のいずれか一項に記載の給水装置。
【請求項１３】
前記表示器は、前記使用期間が前記しきい値以上であるときに、前記ポンプの積算運転時間が前記しきい値を超えたこと、および前記消耗部品が交換時期に達したことを表示する、請求項１２に記載の給水装置。
【請求項１４】
給水装置に関する専門知識のあるメンテナンス員だけでなく専門知識のないユーザーに対しても該給水装置の消耗部品が交換時期に達したことを知らせることができる表示器であって、
消耗部品の使用期間を計測する前記給水装置の制御部と通信し、
前記使用期間がしきい値以上であるときに前記消耗部品の交換案内を表示し、
前記交換案内を消去するクリア操作が入力可能であり、
前記給水装置には、前記使用期間を０にリセットするリセット操作の使用者を制限する使用者制限が設けられている、表示器。
【請求項１５】
前記使用期間がしきい値以上であるときに、前記使用期間が前記しきい値を超えたこと、および前記消耗部品が交換時期に達したことを知らせるための交換案内を表示する、請求項１４に記載の表示器。
【請求項１６】
前記給水装置に有線通信又は無線通信にて接続される、請求項１４または１５に記載の表示器。
【請求項１７】
前記リセット操作は、前記給水装置にのみ入力可能である、請求項１４乃至１６のいずれか一項に記載の表示器。
【請求項１８】
請求項１４乃至１７のいずれか一項に記載の表示器に接続される給水装置。
【発明の詳細な説明】
【技術分野】
【０００１】
本発明は、建物に水を供給する給水装置に関し、特に給水装置の消耗部品の交換案内を表示する表示器を備えた給水装置に関する。
【背景技術】
【０００２】
給水装置は、一般に、ポンプの運転状況などの情報を表示する表示器を備えている。従来、給水装置の表示器は７セグメントＬＥＤや表示灯の簡易的な表示器にて、ポンプの運転状況、吐出し圧力、故障の発生、ポンプごとの積算運転時間、ポンプごとの積算運転回数、ポンプ運転に必要な設定値など、必要最低限の情報のみを表示する。
【０００３】
給水装置は、定期的に交換が必要な消耗部品を備える。例えば、圧力タンク、圧力センサ、制御基板等の制御部、インバータは、使用開始からの経過年数にて交換時期を推定できる消耗部品である。また、軸受およびメカニカルシールは、使用開始からの経過年数だけでなくポンプの積算運転時間から交換時期を推定できる消耗部品である。これら消耗部品の交換時期は、故障予防保全としては重要な情報ではあるが緊急性が低いため、表示できる情報量が少ない簡易的な表示器には表示されずに、交換時期の目安として取扱説明書に記載されている。
【０００４】
給水装置の消耗部品の定期的な交換を怠ると、給水装置に大きな故障が発生することがあり、最悪の場合、給水装置が給水不能状態となる虞がある。給水装置では、消耗部品によって交換時期が異なり、交換サイクルが長いものがあるため、交換時期を忘れてしまう虞がある。
【先行技術文献】
【特許文献】
【０００５】
【特許文献１】特開２００３−２０１９８９号公報
【特許文献２】特開２０１２−２４６８６５号公報
【特許文献３】特開２０１４−１７３５２２号公報
【特許文献４】特開２００５−１７１７８８号公報
【特許文献５】特開２００９−７４５４１号公報
【発明の概要】
【発明が解決しようとする課題】
【０００６】
特許文献１には、電動機の推定寿命の検出方法が記載されているが、電動機が推定寿命に達した時の表示方法の詳細については記載されていない。給水装置の消耗部品の交換をユーザーに促す案内（以下、消耗部品の交換案内という）は、その消耗部品の故障を未然に防ぐために表示されるものである。したがって、消耗部品の交換案内は、給水装置の故障や異常を知らせる警報と比べて緊急性は低い。よって、ユーザーがこのような警報の表示と混同しない消耗部品の交換案内を表示するのが望ましい。
【０００７】
一般に、給水装置は複数台のポンプを有しており、省エネや死水防止のため、複数台のポンプをローテーションさせながら運転している。ポンプのローテーションはポンプ積算運転時間の平準化のためにも行われるが、マンションや商業ビルなど給水量が不規則な設置現場では、全てのポンプが正常に動いていても、ポンプ間で積算運転時間に差異が生じることがある。このため、複数台のポンプを有する給水装置の場合、ポンプ間で軸受やメカニカルシール等の消耗部品の交換時期に差異が生じることになる。また、水質が悪い現場では複数台あるポンプの内、１台のポンプ内部に固形物が混入してポンプの破損があり、メカニカルシールの予定された交換時期に到達する前に、ポンプを交換した場合も、ポンプ毎の使用開始時期や積算運転時間が異なってくるためメカニカルシールの交換時期が異なってくる。
【０００８】
特許文献２には、ポンプの積算運転時間をグラフ化して管理指標となるしきい値を表示するポンプ設備が記載されている。しかしながら、給水装置において、ポンプの積算運転時間およびしきい値を表示すると、ポンプ間での積算運転時間の差異にユーザーが過剰に反応してしまい、積算運転時間の短いポンプに何らかの不具合が発生していると誤解される。先に述べたように、給水装置はポンプをローテーションさせながら運転しているので、ユーザーが、ポンプ間での積算運転時間の差異が適切な範囲内であると理解するには給水装置の専門知識が必要であり、非常に難しい。また、故障予防保全である消耗部品の交換案内のしきい値は、ある程度余裕をもたせた値となっている。しかしながら、ポンプの積算運転時間としきい値をグラフ化して表示すると、ユーザーはしきい値に達する前に、もうすぐ交換時期に達するという危機感からメンテナンス過多になる虞がある。給水装置の主な設置場所はマンションや商業ビルである。マンションや商業ビルでは、給水装置の専門知識のある専任の管理者が給水装置を管理することは稀である。一般的には、給水装置の表示を確認するユーザーは専門知識のないマンションやビルの管理人である。
【０００９】
給水装置はライフラインに直結する装置であり、給水装置の故障は未然に防ぐべきであり、消耗部品は適切な交換時期に交換されるべきである。そのため、ユーザーが給水装置の消耗部品の交換案内を容易かつ確実に理解できる表示方法を提供することが必須である。
【００１０】
本発明は、上述のような実情に鑑みてなされたものであり、マンションやビルの管理人のような給水装置に関する専門知識のないユーザーに対しても、給水装置の消耗部品が交換時期に達したことを分かり易く知らせることができる給水装置を提供することを目的とする。
【課題を解決するための手段】
【００１１】
上述した目的を達成するために、一態様は、給水装置に関する専門知識のあるメンテナンス員だけでなく専門知識のないユーザーに対しても該給水装置の消耗部品が交換時期に達したことを知らせることができる機能を備えた給水装置であって、ポンプと、前記ポンプを駆動する電動機と、前記給水装置の消耗部品の使用期間を計測し、前記使用期間をしきい値と比較する制御部と、前記使用期間が前記しきい値以上であるときに、前記使用期間が前記しきい値を超えたこと、および前記消耗部品が交換時期に達したことを知らせるための交換案内を表示する表示器と、を備え、前記給水装置は、前記使用期間を０にリセットするリセット操作が入力可能であり、前記リセット操作の使用者を制限する使用者制限が設けられている。
【００１２】
好ましい態様は、前記給水装置は、前記交換案内を消去するクリア操作がさらに入力可能であり、前記使用者制限は、操作可能な使用者が前記クリア操作よりも制限されるものである。
好ましい態様は、前記使用者制限は、前記ユーザーの前記リセット操作を不可とし、前記メンテナンス員のみの前記リセット操作を可能とするものである。
好ましい態様は、前記リセット操作を入力するためのリセットボタンと、前記クリア操作を入力するためのクリアボタンをさらに備え、前記リセットボタンは、前記制御部に設けられており、前記クリアボタンは、前記表示器に設けられている。
好ましい態様は、前記使用者制限は、パスワードによる操作制限である。
好ましい態様は、前記しきい値は変更可能である。
【００１３】
好ましい態様は、前記表示器は、前記制御部と有線通信または無線通信で接続された外部表示器である。
好ましい態様は、前記外部表示器は、近距離無線通信（ＮＦＣ）によって前記制御部に接続される。
好ましい態様は、前記外部表示器は、電波を送受信する表示器側アンテナ部を備え、前記制御部は、前記電波を受信して該電波を電力に変換する制御部側アンテナ部と、前記電力によって駆動される集積回路および記憶部とを備える。
好ましい態様は、前記制御部は、前記使用期間が前記しきい値以上であるときに、前記使用期間が前記しきい値を超えたこと、および前記消耗部品が交換時期に達したことを示す交換案内をデータとして前記記憶部に記憶し、前記集積回路は、前記記憶部から前記データを読み取り、前記制御部側アンテナ部は前記データを前記表示器側アンテナ部に送信する。
【００１４】
好ましい態様は、前記制御部は、前記使用期間として、前記消耗部品の使用が開始されてからの前記給水装置の通電時間を計測する。
好ましい態様は、前記制御部は、前記使用期間として、前記消耗部品の使用が開始されてからの前記ポンプの積算運転時間を計測する。
好ましい態様は、前記表示器は、前記使用期間が前記しきい値以上であるときに、前記ポンプの積算運転時間が前記しきい値を超えたこと、および前記消耗部品が交換時期に達したことを表示する。
【００１５】
一態様は、給水装置に関する専門知識のあるメンテナンス員だけでなく専門知識のないユーザーに対しても該給水装置の消耗部品が交換時期に達したことを知らせることができる表示器であって、消耗部品の使用期間を計測する前記給水装置の制御部と通信し、前記使用期間がしきい値以上であるときに前記消耗部品の交換案内を表示し、前記交換案内を消去するクリア操作が入力可能であり、前記給水装置には、前記使用期間を０にリセットするリセット操作の使用者を制限する使用者制限が設けられている。
好ましい態様は、前記表示器は、前記使用期間がしきい値以上であるときに、前記使用期間が前記しきい値を超えたこと、および前記消耗部品が交換時期に達したことを知らせるための交換案内を表示する。
好ましい態様は、前記表示器は、前記給水装置に有線通信又は無線通信にて接続される。
好ましい態様は、前記リセット操作は、前記給水装置にのみ入力可能である。
一態様は、前記表示器に接続される給水装置である。
【発明の効果】
【００１６】
本発明によれば、消耗部品の使用期間がしきい値以上である場合に、表示器は、使用期間がしきい値を超えたこと、および消耗部品が交換時期に達したことを示す通知を表示する。したがって、ユーザーは、消耗部品を交換すべき理由を的確かつ容易に理解することができる。結果として、消耗部品の交換が促され、給水装置の故障を回避することができる。
【図面の簡単な説明】
【００１７】
【図１】一実施形態に係る給水装置を示す模式図である。
【図２】制御部の詳細を示す図である。
【図３】記憶部の詳細を示す図である。
【図４】１号ポンプのメカニカルシールが交換時期に達したことを示す消耗部品の交換案内を表示するためのフローチャートである。
【図５】表示器の表示画面を示す図である。
【図６】交換回数記憶領域をさらに備えた記憶部を示す図である。
【図７】圧力タンクが交換時期に達したこと示す消耗部品の交換案内を表示するためのフローチャートである。
【図８】給水装置の他の実施形態を示す図である。
【図９】外部表示器の表示画面を示す図である。
【図１０】給水装置のさらに他の実施形態を示す図である。
【図１１】給水装置のさらに他の実施形態を示す図である。
【図１２】給水装置のさらに他の実施形態を示す図である。
【図１３】給水装置のさらに他の実施形態を示す図である。
【図１４】給水装置のさらに他の実施形態を示す図である。
【発明を実施するための形態】
【００１８】
以下、本発明の実施形態について図面を参照して説明する。図１乃至図１４において、同一または相当する構成要素には、同一の符号を付して重複した説明を省略する。図１は一実施形態に係る給水装置を示す模式図である。図１に示すように、給水装置１の吸込口は、導入管５を介して水道管４に接続されている。給水装置１の吐出口には給水管７が接続されており、この給水管７は、建物の各階の給水器具（例えば蛇口）に連通している。給水装置１は、水道管４からの水を増圧して建物の各給水器具に水を供給する。
【００１９】
水道管４にポンプの吸込側が導入管５を介して直結される給水装置１は、２台のポンプ２，２と、これらのポンプ２，２を駆動する駆動源としてのモータ（電動機）３，３と、モータ３，３を可変速駆動する駆動装置としてのインバータ２０，２０と、ポンプ２，２の吸込側に配置された逆流防止装置２５と、逆流防止装置２５の吸込側に配置された圧力センサ（吸込側圧力センサ）２１と、ポンプ２，２の吐出側に配置された逆止弁２２，２２と、逆止弁２２，２２の吐出側に配置されたフロースイッチ２４，２４、圧力センサ（吐出側圧力センサ）２６、および圧力タンク２８を備えている。これら構成要素は、給水装置１のキャビネット３０内に収容されている。なお、キャビネット３０を備えていないタイプの給水装置もある。
【００２０】
図１に記載されている符号２ａは、２台のポンプ２，２のうちの一方のポンプである１号ポンプを示しており、符号２ｂは他方のポンプである２号ポンプを示している。これら１号ポンプ２ａおよび２号ポンプ２ｂを特に区別して呼ぶ必要がない限り、１号ポンプ２ａ，２号ポンプ２ｂを単にポンプ２，２と呼び、いずれか一方のポンプを意味する場合は単にポンプ２と呼ぶ。図１の符号３ａ，３ｂは、１号モータ３ａ，２号モータ３ｂを意味し、符号２４ａ，２４ｂは、１号フロースイッチ２４ａ，２号フロースイッチ２４ｂを意味する。これらについても同様に、特に区別して呼ぶ必要がない限り、単にモータ３，３，フロースイッチ２４，２４と呼ぶ。
【００２１】
本実施形態では、２組のポンプ２，２、モータ３，３、逆止弁２２，２２、およびフロースイッチ２４，２４が設けられ、これらは並列に設けられている。なお、１組、または３組以上のポンプ、モータ、逆止弁、およびフロースイッチを設けてもよい。各ポンプ２の構成部品として、ポンプ２の主軸部に取り付けられて、ポンプ２内の水を外部に漏らさない役割をするメカニカルシール（図示しない）がある。また、各モータ３の構成部品として、モータ３の主軸の回転時の摩擦低減と荷重支持の役割をする軸受（図示しない）がある。これらメカニカルシールや軸受も定期的に交換が必要な消耗部品である。
【００２２】
水道管４の圧力のみで給水を行うためのバイパス管８が導入管５と給水管７との間に設けられている。このバイパス管８には逆止弁２３が設けられている。直結式給水装置では、図１に示すようにポンプ２，２の吸込側が水道管４に接続されているが、受水槽式の給水装置では、ポンプ２，２の吸込側は導入管５を介して受水槽に接続される。この受水槽式の給水装置の場合、図１に示す逆流防止装置２５、吸込側の圧力センサ２１、およびバイパス管８は設けられない。
【００２３】
逆止弁２２，２２は、ポンプ２，２の吐出口に接続された吐出管３２，３２にそれぞれ設けられている。これら逆止弁２２，２２は、ポンプ２，２が停止したときの水の逆流を防止するための弁である。フロースイッチ２４，２４は吐出管３２，３２を流れる水の流量が所定の値にまで低下したことを検出する流量検出器である。圧力センサ２６は、吐出側圧力（すなわち、給水装置１に加わる背圧）を測定するための水圧測定器である。圧力タンク２８は、ポンプ２，２が停止している間の吐出側圧力を保持するための圧力保持器である。
【００２４】
給水装置１は、給水動作を制御する制御部４０を備えている。インバータ２０，２０、フロースイッチ２４，２４、圧力センサ２１、圧力センサ２６は、制御部４０に信号線を介して接続されている。フロースイッチ２４により水の流量が所定の値にまで低下したことが検出されると、制御部４０はポンプ２の運転速度を一時的に上げるようインバータ２０に指令を出し、圧力タンク２８に蓄圧してからポンプ２の運転を停止させる。このようなポンプ２の停止動作を小水量停止という。吐出側圧力（吐出管３２内の水圧）が所定の始動圧力まで低下すると、制御部４０はポンプ２の運転を開始するようインバータ２０に指令を出す。制御部４０には、ポンプ２を始動させるトリガーとなる始動圧力が予め記憶されている。
【００２５】
ポンプ２，２が停止している状態で、建物内で水が使用されると、ポンプ２，２の吐出側圧力が低下する。この吐出側圧力、すなわち圧力センサ２６の出力値が上記所定の始動圧力にまで低下すると、制御部４０はポンプ２，２のうちのいずれか一方を始動させる。ポンプ２の運転中は、圧力センサ２６の出力値に基づいて推定末端圧力一定制御または吐出圧力一定制御が行われる。
【００２６】
建物での水の使用が停止されると、ポンプ２から吐き出される水の流量が低下する。フロースイッチ２４は、ポンプ２からの水の流量が所定の値まで低下したことを検出すると、その検出信号を制御部４０に送る。制御部４０はこの検出信号を受け、インバータ２０に指令を出して吐出側圧力が所定の停止圧力に達するまでポンプ２の回転速度を増加させ、その後ポンプ２を停止させる。
【００２７】
本実施形態の給水装置１は２台のポンプ２，２を備えており、２台のポンプ２，２のうちのいずれかが故障した場合、他方のポンプ２がバックアップ運転する。また、ポンプ２，２の積算運転時間の平準化や、ポンプ２，２の内部の死水防止のため、ポンプ２，２の始動順序を変えたり、あらかじめ設定した時間で、運転中のポンプ２を他方のポンプ２に強制的に切り替えたりする。また、省エネのため、給水量に応じてポンプ２を追加したり、解列したりする。その他、様々な方法に従って、ポンプ２，２のローテーションおよび台数制御を行っている。通常、給水装置１は常時通電されており、上述したように建物内での水に使用に応じてポンプ２，２の発停や回転速度を制御する自動運転モードにて使用されている。以下の説明ではこの自動運転モードを給水装置１の自動運転と記す。また、ポンプの運転とは実際にポンプが電動機により駆動されている状態を示す。
【００２８】
図２は制御部４０の詳細を示す図である。図２に示すように、給水装置１は、給水動作を制御する制御部（制御装置）４０と、給水装置１の運転情報を表示する表示器４９とを備えている。制御部４０は、設定部４６、記憶部４７、演算部４８、Ｉ／Ｏ部５０、及び運転パネル５１を備えている。運転パネル５１は、ヒューマンインターフェースとして機能する。設定部４６には、ポンプ２，２の運転制御に関する各種設定値が入力される。設定部４６及び表示器４９は、運転パネル５１に設けられている。表示器４９は液晶パネルであり、設定部４６はタッチパネル式操作器でもよい。本実施形態では、表示器４９は制御部４０に取り付けられているが、表示器４９は制御部４０から離れて配置されてもよい。また、表示器４９は液晶パネルと７セグメントＬＥＤや表示灯を組み合わせた構成でもよい。
【００２９】
記憶部４７は、各消耗部品が交換時期に達したか否かを判断するためのしきい値と、各消耗部品の使用期間を記憶する。しきい値は、記憶部４７に予め記憶されていてもよいし、あるいは設定部４６を通じて記憶部４７に入力されてもよい。演算部４８は、各消耗部品の使用期間を計測し、記憶部４７はこの使用期間を記憶する。演算部４８としては、ＣＰＵが使用される。表示器４９は、ヒューマンインターフェースとして機能し、給水装置１の各消耗部品の交換案内を表示する。
【００３０】
消耗部品の使用期間は、その消耗部品の使用が開始されてからの給水装置１の通電時間、またはその消耗部品の使用が開始されてからのポンプ２の積算運転時間に相当する。ポンプ２の積算運転時間とは、２台のポンプ２，２のうち、その消耗部品とともに動作する方のポンプ２の積算運転時間である。ポンプ２のメカニカルシールおよびモータ３の軸受は、給水装置１の通電時間と、ポンプ２の積算運転時間から交換時期を推定できる消耗部品である。
【００３１】
上述したように給水装置１の自動運転中はポンプ２の駆動中でも停止中でも給水装置１の内部に水圧がかかる。この水圧が部品の寿命に影響する消耗部品は、その部品の使用開始からの給水装置１の自動運転の期間が一定期間経過すると交換時期を迎える。このような消耗部品としては、圧力タンク２８、圧力センサ２１、圧力センサ２６、および各ポンプ２内のメカニカルシール、が挙げられる。
【００３２】
軸受は、モータ３が運転していなくても、内部の潤滑用グリースが経年劣化する。よって軸受はその使用開始から一定期間経過すると交換時期を迎える。また、センサや制御機器等の給水装置１内の電気電子部品は通電にて劣化する消耗部品である。このような消耗部品は、その使用開始からの通電時間が一定期間経過すると交換時期を迎える。具体的には、圧力センサ２１、圧力センサ２６、フロースイッチ２４，２４、インバータ２０，２０、制御部４０が挙げられる。これらの消耗部品の電源は制御部４０と同時に入り切りされる。
【００３３】
通常、給水装置１はメンテナンスや停電時など特殊な場合を除いて、設置後は常時通電され且つ自動運転にて使用されているため、給水装置１の通電時間と自動運転時間は等しく、給水装置１の通電時間と設置時間も等しい。上述した消耗部品の交換時期は、各消耗部品の使用を開始してからの給水装置１の通電時間にて判断できる。よって、各部品の使用期間が給水装置１の通電時間に相当する消耗部品としては、圧力タンク２８、圧力センサ２１、圧力センサ２６、フロースイッチ２４，２４、インバータ２０，２０、制御部４０、各ポンプ２内のメカニカルシール、および各モータ３の軸受が挙げられる。給水装置１の消耗部品の耐用年数は消耗部品によって異なる。したがって、交換時期を示すしきい値は消耗部品ごとに設定される。例えば、圧力タンク２８のしきい値は３年、圧力センサ２１および圧力センサ２６のしきい値は５年、フロースイッチ２４のしきい値は３年、インバータ２０のしきい値は５年、制御部４０のしきい値は５年、メカニカルシールのしきい値は１年、モータ３の軸受の交換時期は３年である。
【００３４】
ポンプ２，２の積算運転時間にて交換時期を判断することができる消耗部品としては、各ポンプ２内のメカニカルシールおよび各モータ３の軸受が挙げられる。メカニカルシールは、ポンプ２の運転時に回転環と固定環が摺動して軸封を行うため、使用開始からのポンプ２の積算運転時間にてメカニカルシールの交換時期を推測することが可能である。また、軸受はモータ３の主軸の回転時の荷重や、摩擦を低減するための部品なので、使用開始からモータ３の積算運転時間にて交換時期を推測することが出来る。モータ３はポンプ２を駆動しているので、モータ３の積算運転時間はポンプ２の積算運転時間と等しい。例えば、ポンプ積算運転時間によるメカニカルシールの交換時期を示すしきい値は８０００時間であり、ポンプ積算運転時間による軸受の交換時期を示すしきい値は１００００時間である。メカニカルシールおよび軸受の使用期間は、使用を開始してからの給水装置１の通電時間に相当し、メカニカルシールおよび軸受の積算運転時間は、使用を開始してからのポンプ２の積算運転時間に相当する。
【００３５】
演算部４８は、消耗部品の使用が開始されてからの給水装置１の通電時間および／またはポンプ２の積算運転時間を計測し、計測した通電時間および／または積算運転時間を記憶部４７に送る。記憶部４７は、消耗部品ごとに給水装置１の通電時間および／またはポンプ２の積算運転時間を記憶する。
【００３６】
使用期間が給水装置１の通電時間によって示される消耗部品に関しては、演算部４８は、通電時間をしきい値と比較し、通電時間がしきい値以上であるか否かを判断する。通電時間がしきい値以上であるとき、表示器４９は、消耗部品の使用期間がしきい値を超えたこと、および消耗部品が交換時期に達したことを示す通知を表示する。同様に、使用期間がポンプ２の積算運転時間によって示される消耗部品に関しては、演算部４８は、ポンプ２の積算運転時間をしきい値と比較し、ポンプ２の積算運転時間がしきい値以上であるか否かを判断する。ポンプ２の積算運転時間がしきい値以上であるとき、表示器４９は、消耗部品の使用期間がしきい値を超えたこと、および消耗部品が交換時期に達したことを示す通知を表示する。
【００３７】
次に、記憶部４７について説明する。図３は記憶部４７の詳細を示す図である。図３に示すように、記憶部４７は、各消耗部品のしきい値を記憶するしきい値記憶領域４７ａと、消耗部品の使用期間を示す通電時間および積算運転時間を記憶する使用期間記憶領域４７ｂとを備えている。図３において、しきい値記憶領域４７ａは、給水装置１の通電時間から推測されるメカニカルシールの交換時期を示す第１のしきい値（以下、メカニカルシール用の第１のしきい値と示す）、ポンプ２の積算運転時間から推測されるメカニカルシールの交換時期を示す第２のしきい値（以下、メカニカルシール用の第２のしきい値と示す）、給水装置１の通電時間から推測される軸受の交換時期を示す第１のしきい値（以下、軸受用の第１のしきい値と示す）、ポンプ２の積算運転時間から推測される軸受の交換時期を示す第２のしきい値（以下、軸受用の第２のしきい値と示す）、フロースイッチ２４の交換時期を示すしきい値（以下、フロースイッチ用のしきい値と示す）、圧力タンク２８の交換時期を示すしきい値（以下、圧力タンク用のしきい値と示す）、圧力センサ２１，２６の交換時期を示すしきい値（以下、圧力センサ用のしきい値と示す）、および制御部４０の交換時期を示すしきい値（以下、制御部用のしきい値と示す）等の消耗部品の種類毎のしきい値を記憶している。
【００３８】
使用期間記憶領域４７ｂは、各消耗部品の使用が開始されてからの給水装置１の通電時間、各消耗部品の使用が開始されてからの各ポンプ２の積算運転時間を記憶するように構成されている。図３に示す例では、使用期間記憶領域４７ｂは、１号ポンプ２ａのメカニカルシールの使用開始からの給水装置１の通電時間と、２号ポンプ２ｂのメカニカルシールの使用開始からの給水装置１の通電時間とを個別に記憶する。さらに、使用期間記憶領域４７ｂは、１号ポンプ２ａのメカニカルシールの使用開始からの１号ポンプ２ａの積算運転時間と、２号ポンプ２ｂのメカニカルシールの使用開始からの２号ポンプ２ｂの積算運転時間とを個別に記憶する。
【００３９】
使用期間記憶領域４７ｂは、１号モータ３ａの軸受の使用開始からの給水装置１の通電時間と、２号モータ３ｂの軸受の使用開始からの給水装置１の通電時間とを個別に記憶する。さらに、使用期間記憶領域４７ｂは、１号モータ３ａの軸受の使用開始からの１号ポンプ２ａの積算運転時間と、２号モータ３ｂの軸受の使用開始からの２号ポンプ２ｂの積算運転時間とを個別に記憶する。
【００４０】
同様に、使用期間記憶領域４７ｂは、１号フロースイッチ２４ａの使用開始からの給水装置１の通電時間、２号フロースイッチ２４ｂの使用開始からの給水装置１の通電時間、圧力タンク２８の使用開始からの給水装置１の通電時間、圧力センサ（吸込側圧力センサ）２１の使用開始からの給水装置１の通電時間、圧力センサ（吐出側圧力センサ）２６の使用開始からの給水装置１の通電時間、および制御部４０の使用開始からの給水装置１の通電時間を個別に記憶する。
【００４１】
次に、消耗部品の交換案内を実行するためのプロセスについて、図４を参照して説明する。図４は１号ポンプ２ａのメカニカルシールが交換時期に達したことを示す消耗部品の交換案内を表示するためのフローチャートである。図４に示される第１の使用期間は、図３の１号ポンプ２ａのメカニカルシールの使用開始からの給水装置１の通電時間として、定期的に記憶部４７に記憶される。また、第２の使用期間は、図３の１号ポンプ２ａのメカニカルシールの使用開始からの１号ポンプ２ａの積算運転時間として、定期的に記憶部４７に記憶される。
【００４２】
図４に示すように、メカニカルシールの使用が開始されると（ステップ１）、演算部４８は第１の使用期間をカウントする（ステップ２）。ステップ１は、給水装置１が現場に設置され、給水装置１の自動運転が開始された直後に開始される。ステップ１における第１の使用期間の値と第２の使用期間の値は０である。
【００４３】
制御部４０からインバータ２０へ出力される運転指令値が所定の始動回転速度以上である場合（ステップ３）、演算部４８は第２の使用期間をカウントする。（ステップ４）。運転指令値が所定の始動回転速度よりも低い場合、演算部４８は第２の使用期間をカウントしない。
【００４４】
上述したように、メカニカルシールの交換時期は給水装置１の通電時間で１年、または１号ポンプ２ａの積算運転時間で８０００時間である。しきい値記憶領域４７ａは、メカニカルシールの交換時期を示すしきい値として、メカニカルシール用の第１のしきい値（通電時間で１年）およびメカニカルシール用の第２のしきい値（１号ポンプ２ａの積算運転時間で８０００時間）を予め記憶している。
【００４５】
演算部４８は、第１の使用期間をメカニカルシール用の第１のしきい値と比較し、第１の使用期間がメカニカルシール用の第１のしきい値以上であるか否かを判断する（ステップ５）。第１の使用期間がメカニカルシール用の第１のしきい値以上である場合、表示器４９は、「１号ポンプのメカニカルシールの使用期間が１年を超えました。１号ポンプのメカニカルシールの交換時期です。」という通知１を表示する（ステップ６）。
【００４６】
表示器４９が通知１を表示した後、演算部４８は第２の使用期間をメカニカルシール用の第２のしきい値と比較し、第２の使用期間がメカニカルシール用の第２のしきい値以上であるか否かを判断する（ステップ７）。第２の使用期間がメカニカルシール用の第２のしきい値以上である場合、表示器４９は、「１号ポンプの運転時間が８０００時間を超えました。１号ポンプのメカニカルシールの交換時期です。」という通知２を表示する（ステップ８）。
【００４７】
図５は表示器４９の表示画面を示す図である。図５に示すように、表示器４９は、１号ポンプ２ａおよび２号ポンプ２ｂのそれぞれの運転状態を表示しており、さらに、消耗部品の交換案内として、通知１または通知２を表示している。この例では、通知１は、「１号ポンプのメカニカルシールの使用期間が１年を超えました。１号ポンプのメカニカルシールの交換時期です。」という表示であり、通知２は、「１号ポンプの運転時間が８０００時間を超えました。１号ポンプのメカニカルシールの交換時期です。」という表示である。
【００４８】
表示器４９は、消耗部品の交換案内として、消耗部品の使用期間の現在値（すなわち、その消耗部品について計測された給水装置１の通電時間またはポンプ２ａ若しくはポンプ２ｂの積算運転時間）は表示せずに、消耗部品を交換すべき理由（根拠）である使用期間が交換時期のしきい値を超えたことと、交換が必要な消耗部品を明確に表示する。消耗部品の交換案内として、消耗部品の使用期間の現在値を表示すると、ユーザーは消耗部品毎の使用期間の現在値の差異に気付き易くなる。例えば、上述したように給水装置の特徴として、給水装置１の１号ポンプ２ａの積算運転時間と２号ポンプ２ｂの積算運転時間を平準化することは困難である。そのため、給水装置１の１号ポンプ２ａの積算運転時間と２号ポンプ２ｂの積算運転時間を同時に表示すると、積算運転時間の短いポンプ２に不具合があるとか、ローテーション方法に不具合があるといった誤解を招く虞がある。したがって、消耗部品の使用期間の現在値を表示しないことにより、ユーザーの誤認識によるメンテナンス過多を防止することができるとともに、ユーザーは消耗部品の交換が必要であることのみを容易に認識することができる。
【００４９】
制御部４０は、第１の使用期間および第２の使用期間を並行して計測する。したがって、第１の使用期間がメカニカルシール用の第１のしきい値に達した後に、第２の使用期間がメカニカルシール用の第２のしきい値に達する場合がある。通知１および通知２が混在して表示器４９に表示されると、通知１の１号ポンプ２ａのメカニカルシールと通知２の１号ポンプ２ａのメカニカルシールが個別に存在し且つ其々の交換案内が表示されたとユーザーが誤解してしまうおそれがある。そこで、通知１のみを表示してもよいし、追加的に通知２を表示してもよい。
【００５０】
このような交換案内の表示により、ユーザーは、交換時期に達した消耗部品を正確に認識できると同時に、消耗部品の交換頻度を取扱説明書と同じレベルで把握できる。給水装置を使用するユーザーによりメンテナンスの頻度は様々である。断水を避けることを最優先し、消耗部品に不具合が発生する前に定期的にメンテナンスしたいユーザーもいれば、メンテナンス費用を極力控えるために、警報が発報されるまで消耗部品の使用を継続したいユーザーもいる。上述のような表示であれば、ユーザーごとに異なるメンテナンスの重要度にかかわらず、どのようなユーザーにも同じ表示で交換案内が可能である。
【００５１】
図４に示すように、交換案内が表示された後、ユーザーは、設定部４６上のクリアボタン５３（図２参照）を押すことにより（ステップ９）、通知１、通知２を消去することができる（ステップ１０）。
【００５２】
消耗部品の交換は、給水装置専門のメンテナンス員が行うのが一般的である。メンテナンス員は１号ポンプ２ａのメカニカルシールを交換した後（ステップ１１）、設定部４６上のリセットボタン５２（図２参照）を押して、第１の使用期間と第２の使用期間を０にリセットする（ステップ１２）。上述したステップ７において、第２の使用期間がメカニカルシール用の第２のしきい値よりも小さい場合であっても、１号ポンプ２ａのメカニカルシールを交換する場合がある。このような場合も、図２に示すリセットボタン５２を押して第１の使用期間と第２の使用期間を０にリセットする。なお、これらのリセット操作には、パスワード等による操作制限を設けてもよい。具体的にはクリアボタン５３はユーザーもメンテナンス員も操作可とし、リセットボタン５２は、ユーザーは操作不可とし、メンテナンス員のみが操作可能とする等の使用者制限を設けてもよい。
【００５３】
消耗部品が交換されたことを制御部４０に自動認識させてもよい。具体的には、識別番号を有するＩＣチップなどの識別装置をそれぞれの消耗部品に予め埋め込んでおく。全ての消耗部品にはそれぞれ異なる識別装置が取り付けられている。例えば、メカニカルシールには軸受とは異なる識別装置が取り付けられ、現在使用されているメカニカルシールには予備品としてのメカニカルシールと異なる識別装置が取り付けられる。メカニカルシールが交換されたとき、制御部４０は異なる識別装置を認識し、メカニカルシールが交換されたことを判断する。メカニカルシール以外の消耗部品についても同様の方法にて、消耗部品が交換されたことを、制御部４０に自動認識させることができる。
【００５４】
上述したように、制御部４０は消耗部品であり、制御部４０の使用開始後５年で交換時期に達する。制御部４０を交換する場合には、使用期間記憶領域４７ｂに保存された通電時間と各ポンプ２ａ，２ｂの積算運転時間に関するデータは、新しい制御部の記憶部に継承される。
【００５５】
図６は交換回数記憶領域４７ｃをさらに備えた記憶部４７を示す図である。図６において、しきい値記憶領域４７ａおよび使用期間記憶領域４７ｂは簡略的に示されている。このように、記憶部４７は、消耗部品の交換回数を記憶する交換回数記憶領域４７ｃをさらに備えてもよい。制御部４０が、消耗部品が交換されたと認識すると、演算部４８は消耗部品の現在の交換回数に１を加えて交換回数を更新し、消耗部品の更新された交換回数を交換回数記憶領域４７ｃに記憶する。図４に示す例では、１号ポンプ２ａのメカニカルシールの交換回数が「１」だけ追加される（ステップ１２参照）。
【００５６】
交換回数記憶領域４７ｃは、１号ポンプ２ａのメカニカルシールの交換回数、２号ポンプ２ｂのメカニカルシールの交換回数、１号モータ３ａの軸受の交換回数、２号モータ３ｂの軸受の交換回数、１号フロースイッチ２４ａの交換回数、２号フロースイッチ２４ｂの交換回数、圧力タンク２８の交換回数、圧力センサ（吸込側圧力センサ）２１の交換回数、圧力センサ（吐出側圧力センサ）２６の交換回数、および制御部４０の交換回数を記憶する。
【００５７】
表示器４９は、給水装置１の消耗部品の交換回数をさらに表示するように構成されてもよい。表示器４９は、消耗部品の交換案内を表示するとき、消耗部品の交換回数を追加的に表示する。例えば、１号ポンプ２ａのメカニカルシールが既に１回交換されている場合、表示器４９は「１号ポンプのメカニカルシールの２回目の交換時期です。」という通知を追加的に表示する。
【００５８】
これまで、１号ポンプ２ａのメカニカルシールの交換案内の表示について説明したが、給水装置１の中に複数個存在する他の消耗部品も同様の表示形態とすることが可能である。以下、圧力タンク２８の交換案内の表示方法について、図７を参照して説明する。給水装置１において圧力タンク２８は１つだけ存在する。給水装置の技術的知識を持たないユーザーの混乱を避けるために、消耗部品の交換案内は、給水装置１内における構成として、複数存在する消耗部品でも１つだけ存在する消耗部品でも共通化されたひな形で表示することが望ましい。
【００５９】
図７は圧力タンク２８が交換時期に達したこと示す消耗部品の交換案内を表示するためのフローチャートである。図７に示される第３の使用期間は、圧力タンク２８の使用開始からの給水装置１の通電時間として、定期的に記憶部４７に記憶される。図７に示すように、圧力タンク２８の使用が開始されると（ステップ１）、演算部４８は第３の使用期間をカウントする（ステップ２）。ステップ１は、給水装置１が現場に設置され、給水装置１の自動運転が開始された直後に開始される。ステップ１における第３の使用期間の値は０である。
【００６０】
上述したように、圧力タンク２８の交換時期は、圧力タンク２８の使用が開始されてから計測された給水装置１の通電時間に基づいて判断される。一例では、圧力タンク２８の交換時期は給水装置１の通電時間で３年なので圧力タンク用のしきい値は３年である。演算部４８は、第３の使用期間を圧力タンク用のしきい値と比較し、第３の使用期間が圧力タンク用のしきい値以上であるか否かを判断する（ステップ３）。第３の使用期間が圧力タンク用のしきい値以上である場合、表示器４９は、消耗部品の交換案内として「圧力タンクの使用期間が３年を超えました。圧力タンクの交換時期です。」という通知３を表示する（ステップ４）。
【００６１】
上記通知３が表示された後、ユーザーは、設定部４６上のクリアボタン５３を押すことにより（ステップ５）、通知３を消去することができる（ステップ６）。メンテナンス員は圧力タンク２８を交換した後（ステップ７）、設定部４６上のリセットボタン５２を押して、第３の使用期間を０にリセットする（ステップ８）。制御部４０が圧力タンク２８が交換されたと認識すると、演算部４８は圧力タンク２８の現在の交換回数に１を加えて圧力タンク２８の交換回数を更新し、圧力タンク２８の更新された交換回数を交換回数記憶領域４７ｃに記憶してもよい。表示器４９は圧力タンク２８の交換回数を追加的に表示してもよい。上述したステップ３において、第３の使用期間が圧力タンク用のしきい値よりも小さい場合であっても、圧力タンク２８を交換する場合がある。このような場合も、図２に示すリセットボタン５２を押して第３の使用期間を０にリセットする。なお、これらのリセット操作には、パスワード等による操作制限を設けてもよい。具体的にはリセットボタン５２は、ユーザーは操作不可とし、メンテナンス員のみが操作可能とする等の使用者制限を設けてもよい。
【００６２】
給水装置専門のメンテナンス員が定期点検を行う現場であれば、メンテナンス員のみが確認できるように消耗部品の交換案内を表示してもよい。消耗部品の交換時期を示すしきい値を変更可能としてもよい。この場合、しきい値の上限値および下限値を設けてもよい。上述した実施形態では、表示器４９は１つの消耗部品のみの交換案内を表示するが、２つ以上の消耗部品が同時に交換時期に達する場合もあり得る。そこで、２つ以上の消耗部品の交換案内を表示器４９に同時に表示できるようにしてもよい。
【００６３】
図８は給水装置１の他の実施形態を示す図である。本実施形態では、表示器４９に加えて、外部表示器６１がさらに設けられている。図８に示すように、制御部４０は通信部６０をさらに備えている。制御部４０は有線通信または無線通信によって外部表示器６１に接続されている。外部表示器６１として、例えばスマートフォンや携帯電話、パソコン、タブレットの汎用端末機器または遠隔監視器などの専用端末機器が採用される。本実施形態では、表示器４９は７セグメントＬＥＤや表示灯などの簡易な表示器であり、外部表示器６１は液晶画面と液晶画面のタッチ入力方式や押圧ボタン方式用いた高機能表示器である。簡易な表示器４９に比べて外部表示器６１は表示できる情報量が格段に多いため、外部表示器６１に消耗部品の交換案内を表示することによって、給水装置に不慣れなユーザーは誤解することなく、消耗部品の交換時期を認識することが出来る。
【００６４】
図９は外部表示器６１の表示画面を示す図である。消耗部品の使用期間を示す給水装置１の通電時間および／またはポンプ２の積算運転時間がしきい値以上である場合、図９に示すように、外部表示器６１は消耗部品の交換案内を表示する。すなわち、外部表示器６１は、消耗部品の使用期間がしきい値を超えたこと、および消耗部品が交換時期に達したことを表示する。このような消耗部品の交換案内の表示により、ユーザーやメンテナンス員は、給水装置１の表示器４９の正面以外の場所で、消耗部品が交換時期に達したことを確認することができる。給水装置１は屋外や操作がしにくい場所に設置されることもある。外部表示器６１を持たない場合、表示面が地面近くの場所や高い場所に設置されたり、屋外の場合は表示器４９に直射日光が当たり消耗部品の交換案内の可視性が非常に悪くなる現場がある。外部表示器６１の設置場所は現場毎に最適な場所に設置したり、手元で操作することが可能となるので、表示確認や操作がし易い場所に設置したり、直射日光を避けた場所にて交換案内を表示することできる。外部表示器６１は消耗部品の交換回数を追加的に表示してもよい。
【００６５】
給水装置１は機械室やポンプ室などの電気的なノイズの多い環境に設置されることがある。本実施形態によれば、給水装置１に組み込まれる表示器４９として、液晶表示やタッチパネルよりも電気的ノイズに強い７セグメントＬＥＤや表示灯、機械的な押圧ボタンなどにて構成された表示器を使用することにより、外部環境から発生される電気的なノイズにより外部表示器６１の液晶表示やタッチパネル操作に異常が発生した場合でも、表示器４９により給水装置１の運転に必要な最低限度の表示や操作を行うことが可能なため、給水装置１を電気的ノイズの多い環境下にも設置することができる。給水装置１において最低限必要な表示操作、例えば警報やポンプ２，２の運転を表示器４９で表示し、緊急度の低い消耗部品の交換案内は、情報量の多い外部表示器６１にてユーザーに分り易い表示を提供することができる。さらに、外部表示器６１として、スマートフォン、携帯電話、パソコン、タブレットなどの汎用端末機器を使用すると、ユーザーは専用のアプリケーションソフトウエアを用いて、消耗部品の交換案内を表示させることができるため、専用のアプリケーションソフトウエアを複数用意し使い分けることによりユーザーのレベルに沿った消耗部品の交換案内の表示を提供することが可能である。
【００６６】
図１０は給水装置１のさらに他の実施形態を示す図である。本実施形態では、制御部４０に表示器４９は設けられていなく、代わりに外部表示器（高機能表示器）６１のみが設けられる。その他の構成は、図８に示す実施形態と同様である。図１０に示す実施形態によれば、給水装置１には表示器自体を設ける必要がなくなるので、給水装置１全体のコストを更に下げることが可能である。
【００６７】
図１１は給水装置１のさらに他の実施形態を示す図である。図１１において、表示器４９は７セグメントＬＥＤや表示灯などの簡易な表示器である。通信部６０は公衆回線を介して保守管理会社または管理人室に設けられた外部表示器６５に接続されている。制御部４０は、消耗部品の使用期間がしきい値以上であるか否かを判断し、外部表示器６５は制御部４０に公衆回線を通じて定期的に通信し、消耗部品の使用期間がしきい値以上であるか否かを制御部４０に問い合わせる。そして、消耗部品の使用期間がしきい値以上である場合は、外部表示器６５は消耗部品の交換案内を表示する。具体的には、外部表示器６５は、消耗部品の使用期間がしきい値を超えたこと、および消耗部品が交換時期に達したことを表示する。外部表示器６５は消耗部品の交換回数を追加的に表示してもよい。
【００６８】
本実施形態の制御部４０は、図２に示すクリアボタン５３を備えていなく、代わりに、外部表示器６５は、図１１に示すように、クリアボタン６６を備えている。ユーザーがこのクリアボタン６６を押すと、外部表示器６５上に表示されている交換案内が消去される。消耗部品が交換された後に、制御部４０のリセットボタン５２を押すと、その消耗部品の使用期間を示す給水装置１の通電時間またはポンプ２の積算運転時間が０にリセットされる。
【００６９】
図１２は給水装置１のさらに他の実施形態を示す図である。本実施形態の制御部４０の基本的構成は図１０に示す実施形態の制御部４０の構成と同じであるが、制御部４０が通信部６０に代えて、制御部側アンテナ部６７を備えている点、および制御部側アンテナ部６７に接続された集積回路６８を備えている点で異なっている。集積回路６８は、しきい値記憶領域４７ａ、使用期間記憶領域４７ｂ、および交換回数記憶領域４７ｃ（図３および図６参照）を有する記憶部４７に電気的に接続されている。なお、本実施形態の制御部４０は表示器４９を備えていないが、制御部４０に表示器４９を設けてもよい。
【００７０】
外部表示器７０は、電波を送受信する表示器側アンテナ部７１と、表示器側アンテナ部７１で受信したデータを読み取るデータリーダー７４と、データリーダー７４によって読み取られたデータ（例えば、消耗部品の交換案内、ポンプ２，２の運転状態、吐出し圧力など）を表示する表示部７２と、データリーダー７４、表示器側アンテナ部７１、および表示部７２に電力を供給するバッテリー７３とを備えている。外部表示器７０として、例えばスマートフォンや携帯電話、パソコン、タブレット等の汎用端末機器でもよく、遠隔監視器などの専用の端末機器でもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置の消耗部品の交換案内を表示させることができるので、マンションやビルの管理人のような給水装置に関する専門知識のないユーザーに対しても、給水装置の消耗部品が交換時期に達したことを分かり易く知らせることができる給水装置を安価に提供することができる。
【００７１】
制御部４０は、先に述べた実施形態と同じように、各消耗部品の使用期間を示す給水装置１の通電時間および／またはポンプ２の積算運転時間を計測し、これらを記憶部４７に記憶する。制御部４０は、記憶部４７に記憶されている通電時間または積算運転時間がしきい値以上であるか否かを判断し、その判断結果をデータとして記憶部４７に記憶する。さらに、制御部４０は、通電時間または積算運転時間がしきい値以上である場合には、消耗部品の交換案内の表示内容をデータとして記憶部４７に記憶する。この消耗部品の交換案内の表示内容は、上述の実施形態と同じように、消耗部品の使用期間がしきい値を超えたこと、および消耗部品が交換時期に達したことを示す通知である。
【００７２】
外部表示器７０は、近距離無線通信（ＮＦＣ：Near  Field  Communication）の技術によって制御部４０と接続される。より具体的には、外部表示器７０を制御部４０に近づけた状態で、表示器側アンテナ部７１が電波を発生すると、その電波を制御部側アンテナ部６７が受け取り、制御部側アンテナ部６７は電波を電力に変換する。この電力は集積回路６８および記憶部４７に供給されてこれら集積回路６８および記憶部４７を駆動する。集積回路６８は記憶部４７に記憶されている上記データを読み取り、制御部側アンテナ部６７にデータを送る。制御部側アンテナ部６７は、データとともに電波を表示器側アンテナ部７１に送信する。データリーダー７４は、表示器側アンテナ部７１が受信したデータを読み取り、そのデータを表示部７２に表示させる。
【００７３】
外部表示器７０は、消耗部品の交換案内の表示を消去するためのクリアボタン６６を備えている。ユーザーがこのクリアボタン６６を押すと、表示部７２に表示されている消耗部品の交換案内が消去される。本実施形態のクリアボタン６６は、表示部７２の画面上に現れる仮想的なボタンであるが、クリアボタン６６は表示部７２の外に設けられた機械的なボタンであってもよい。本実施形態の制御部４０はクリアボタンを備えていないが、制御部４０にクリアボタンを設けてもよい。なお、これらの操作には、操作制限を設けてもよい。具体的には、ユーザーが主に使用する外部表示器７０にクリアボタン６６を設け、メンテナンス員が主に使用する制御部４０にリセットボタン５２を設ける。このように制御部４０にのみリセットボタン５２を設けることで、ユーザーのリセットボタン５２の誤操作を防ぐことができる。パスワード等の複雑な使用制限の解除方法ではなく、外部表示器７０を設けることで、ユーザーの誤操作による消耗部品の使用期間のクリアを防止することができる。
【００７４】
本実施形態では、外部表示器７０と制御部４０との間で無線通信が行われ、記憶部４７に記憶されている消耗部品の交換案内の表示内容などを含むデータは、制御部４０から外部表示器７０に送られる。本実施形態によれば、給水装置１の電源が入っていない場合でも、制御部側アンテナ部６７は外部表示器７０から発せられる電波から電力を発生し、集積回路６８および記憶部４７を駆動することができる。したがって、給水装置１のメンテンナンス中などにおいて制御部４０に電力が供給されていないときでも、外部表示器７０は、制御部４０の記憶部４７から消耗部品の交換案内を含むデータを取得し、該データを表示することができる。
【００７５】
制御部４０が故障した場合には新制御部４０に交換する必要がある。この制御部４０の交換時に、故障した旧制御部４０はすでに電源が入らない状態においても、本実施形態では、旧制御部４０の使用期間記憶領域４７ｂに保存された各消耗部品毎の通電時間および／またはポンプ２，２の積算運転時間に関するデータを新制御部４０の記憶部４７に継承することが可能となる。具体的には、旧制御部４０の記憶部４７の該データを外部表示器７０にて表示し、その表示を確認しながらメンテナンス員が新制御部４０の操作部より入力し、新制御部４０の記憶部４７に該データを記憶させてもよいし、旧制御部４０の該データを外部表示器７０にて取得し、外部表示器７０から新しい制御部４０の記憶部４７へと通信手段にて書き込んでもよい。制御部４０が電源が入らない状態で故障しても、使用期間記憶領域４７ｂを新制御部４０の記憶部４７に継承できるので、消耗部品毎の使用期間のデータが損失されることない。これは、給水装置１が新制御部４０にて自動運転を開始した後でも、各消耗部品の使用期間が各しきい値を超えたタイミングにて各消耗部品の交換案内を表示することができることを意味する。
【００７６】
水の安定供給と水質低下を防止する観点から、給水装置１は、定期的なメンテナンスが必要とされる。通常、給水装置１のメンテナンスは、給水装置１の電源をオフにした状態で実行される。この給水装置１のメンテナンス時に消耗部品の交換作業を行えば、作業の効率化が実現できるのみならず、給水装置１の運転停止時間を短くすることができる。特に、給水装置１は、ライフラインの一部として機能する設備であるので、給水装置１の運転停止時間を可能な限り短くすることが望まれる。
【００７７】
本実施形態によれば、給水装置１に電力が供給されていないときでも、ユーザーやメンテナンス員が外部表示器７０を制御部４０に近づけるだけで、記憶部４７から消耗部品の交換案内を含む情報を取得することが可能である。したがって、ユーザーやメンテナンス員は、給水装置１のメンテナンス時に消耗部品の交換が必要か否かを外部表示器７０を通じて確認することができ、必要に応じて消耗部品を交換することができる。
【００７８】
本実施形態で採用される近距離無線通信（ＮＦＣ：Near  Field  Communication）は、数ｃｍの近距離でのみ相互通信が可能な技術である。したがって、外部表示器７０に消耗部品の交換案内やその他の各種情報を表示させるためには、ユーザーやメンテナンス員は外部表示器７０を制御部４０に近づける必要がある。このことは、外部表示器７０を操作するときは、ユーザーやメンテナンス員は給水装置１の近くにいることを意味する。したがって、ユーザーやメンテナンス員は給水装置１を目視しながら外部表示器７０を操作することになり、誤操作に起因した給水装置１の予期しない動作を防止することに繋がる。また、複数の給水装置１が設置された現場では、交換案内を表示したい給水装置の近距離でのみ通信可能となる為、無線通信にてよくある意図しない別の給水装置の交換案内を表示してしまうという誤表示を防止することが出来る。
【００７９】
図１３は給水装置１のさらに他の実施形態を示す図である。本実施形態では、制御部４０は通信部６０を備えている。通信部６０は、有線通信または無線通信によって外部表示器７５の通信部７６に接続されている。外部表示器７５は制御部８０を備えており、制御部８０は通信部７６、記憶部７７、演算部７８、および表示部７９を備えている。制御部４０は、表示器４９を備えていてもよい。また、記憶部７７は記憶部４７と同様に図３の構成とする。
【００８０】
制御部４０の演算部４８は、各消耗部品の使用期間を示す給水装置１の通電時間およびポンプ２，２の積算運転時間を計測する。計測された通電時間および積算運転時間は、記憶部４７に記憶され、通信部６０，７６を介して、外部表示器７５に送られた後、外部表示器７５内の記憶部７７内に記憶される。外部表示器７５の演算部７８は、消耗部品の使用期間を示す通電時間または積算運転時間と記憶部７７内のしきい値とを比較する。通電時間または積算運転時間がしきい値以上である場合、表示部７９は消耗部品の交換案内を表示する。すなわち、表示部７９は、消耗部品の使用期間がしきい値を超えたこと、および消耗部品が交換時期に達したことを表示する。表示部７９は消耗部品の交換回数を追加的に表示してもよい。
【００８１】
図１４は給水装置１のさらに他の実施形態を示す図である。本実施形態では、制御部４０には表示器は設けられておらず、代わりに、外部表示器７５に表示部７９と設定部８２が設けられている。その他の構成は図１３に示す実施形態と同様である。本実施形態では、交換案内表示の消去、通電時間および積算運転時間のリセット、その他各種設定値の入力は、外部表示器７５の設定部８２を通じて行われる。
【００８２】
なお、上述した説明では、消耗部品の交換案内のしきい値と比較する積算値には消耗部品毎の使用期間(通電時間および／または積算運転時間)を用いたが、消耗部品によっては、ポンプ毎の積算始動（運転）回数や小水量停止回数等のカウント値を用いてもよく、その場合の消耗部品の交換案内は、カウント回数がしきい値を超えたこと、および消耗部品が交換時期に達したことを表示部に表示することとする。上記積算値として小水量停止回数のカウント値を使用することができる消耗部品の例としては、圧力タンク２８が挙げられる。また、上記積算値として全てのポンプの総積算始動（運転）回数のカウント値を使用することができる消耗部品の例としては、圧力タンク２８が挙げられる。上記積算値としてポンプ毎の積算始動（運転）回数のカウント値を使用することができる消耗部品の例としては、フロースイッチ２４，２４、逆止弁２２，２２、軸受、メカニカルシールが挙げられる。また、上述した他の部品でも何らかの積算値をカウントし、積算値を任意のしきい値と比較することにより、部品の寿命が推定できる部品は、消耗部品の交換案内として同様の表示とすることができる。つまり、消耗部品が交換時期のしきい値を超えたことと、交換が必要な消耗部品とを明確に表示する。このことにより、給水装置１の操作に不慣れなユーザーでも消耗部品の交換時期を認識することが出来る。
【００８３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲とすべきである。
【符号の説明】
【００８４】
１      給水装置
２，２ａ，２ｂ      ポンプ
３，３ａ，３ｂ      モータ（電動機）
４      水道管
５      導入管
７      給水管
８      バイパス管
２０      インバータ（駆動装置）
２１，２６      圧力センサ
２２，２３      逆止弁
２４，２４ａ，２４ｂ      フロースイッチ
２５      逆流防止装置
２８      圧力タンク
３０      キャビネット
３２      吐出管
４０，８０      制御部
４６      設定部
４７，７７      記憶部
４７ａ    しきい値記憶領域
４７ｂ    使用期間記憶領域
４７ｃ    交換回数記憶領域
４８，７８      演算部
４９      表示器
５０      Ｉ／Ｏ部
５１      運転パネル
５２      リセットボタン
５３，６６    クリアボタン
６０      通信部
６１，６５，７０，７５      外部表示器
６７      制御部側アンテナ部
６８      集積回路
７１      表示器側アンテナ部
７２      表示部
７３      バッテリー
７４      データリーダー
７６      通信部
７７      記憶部
７８      演算部
７９      表示部
８２      設定部
【図１】
2020042851.tif 000003
【図２】
2020042851.tif 000004
【図３】
2020042851.tif 000005
【図４】
2020042851.tif 000006
【図５】
2020042851.tif 000007
【図６】
2020042851.tif 000008
【図７】
2020042851.tif 000009
【図８】
2020042851.tif 000010
【図９】
2020042851.tif 000011
【図１０】
2020042851.tif 000012
【図１１】
2020042851.tif 000013
【図１２】
2020042851.tif 000014
【図１３】
2020042851.tif 000015
【図１４】
2020042851.tif 000016